(57)【特許請求の範囲】
【請求項１】
可撓性の裏部材によって複数の長尺状木質片を巻回可能に連結して成ると共に前記裏部材で覆われた凹溝内に温水パイプが埋設された連結床板と、前記長尺状木質片と同方向の連結床板の両端にそれぞれ連結された縦縁材と、前記長尺状木質片と直交方向の連結床板の両端にそれぞれ凹凸嵌合される横縁材と、前記縦縁材と横縁材との間の４隅にそれぞれ配設されるコーナ材とを備え、このコーナ材が連結金具を介して縦縁材と横縁材に結合されており、かつ、前記裏部材を下にして床上に敷設される構成の上敷式木質床暖房パネルであって、前記連結金具を第１及び第２連結板で構成し、これら２枚１組の第１及び第２連結板は、一端部が互いに重合されてその重合部分が共通の第１締着具を介してコーナ材の裏面側に締着され、前記第１連結板の他端部は第２締着具を介して縦縁材の裏面側に締着される一方、前記第２連結板の他端部は第３締着具を介して横縁材の裏面側に締着される構成としたことを特徴とする巻回可能な上敷式木質床暖房パネル。
【発明の詳細な説明】
【０００１】
【発明の属する技術分野】
本発明は、熱源機などからの温水が供給されて床暖房を行う巻回可能な上敷式木質床暖房パネルに関する。
【０００２】
【従来の技術】
従来一般に、室内を床面から暖房する暖房装置として、一戸建て住宅にあっては、大引とフローリング等の床板との間に、或るいは、大引の上に敷いた下地合板の上などに床暖房放熱器としての床暖房パネルを組み込み、一方、マンション等の集合住宅にあっては、コンクリートスラブ床面の上に直接、或るいは、コンクリートスラブ床面の上に敷いた下地合板の上などに床暖房放熱器としての床暖房パネルを組み込み、この床暖房パネルに熱源機より暖房用温水を循環供給して床面を暖め、室内を暖房する床暖房装置が知られている。
【０００３】
また、上記した床暖房装置の放熱器としては、例えば、特開平７−１５８８７１号公報に開示されているように、基体となる木質板状体の上表面に溝を設け、この溝を含む木質板状体の表面側をアルミ箔等の均熱シートで覆うとともに、溝内に温水パイプを収容してそれらの表面をフローリング等の表面材で覆う構造のものが知られている。
【０００４】
この特開平７−１５８８７１号公報に開示された床暖房装置では、施工のための床工事が大がかりとなるため、一般的に一戸建て住宅や集合住宅の新築工事の際に施工されるものであり、既築住宅の床に新たに設置するには大改造になって費用も高額となる問題があった。
【０００５】
そこで、上述の問題を解決するために、本件出願の発明者らは、先に特願平９−１８９９９６号として、図９及び図１０に示すような巻回可能な上敷式木質床暖房パネルを提案している。この先行技術による上敷式木質床暖房パネルは、図９に示すように、複数の長尺状木質片１００を巻回可能に連結して成ると共に温水パイプ１０１が埋設された連結床板１０２と、前記長尺状木質片１００と同方向の連結床板１０２の両端にそれぞれ連結された縦縁材１０３と、前記長尺状木質片１００と直交方向の連結床板１０２の両端にそれぞれ凹凸嵌合される横縁材１０４と、前記縦縁材１０３と横縁材１０４との間の４隅にそれぞれ配設されるコーナ材１０５とを備えた構成とすることにより、室床の基調を損なうことなく、既築住宅のフローリング等の床上に設置して使用でき、施工性に優れたものである。
【０００６】
ところで、上記した先行技術による巻回可能な上敷式木質床暖房パネルにおいては、図１０に示すように、コーナ材１０５が縦縁材１０３と横縁材１０４に略Ｌ字状の連結金具１０６を介して結合されていた。即ち、連結金具１０６は、それの中央部１０６Ａがネジ等の第１締着具１０７を介してコーナ材１０５の裏面側に締着されるとともに、一方の先端部１０６Ｂがネジ等の第２締着具１０８を介して縦縁材１０３の端部に締着され、また、他方の先端部１０６Ｃがネジ等の第３締着具１０９を介して横縁材１０４の端部に締着される構成であった。
【０００７】
【発明が解決する課題】
上記した先行技術による巻回可能な上敷式木質床暖房パネルにおいては、連結金具１０６の形状が平面視において略Ｌ字状に形成されているため、パネル製造時に連結床板１０２の横幅寸法Ｓにバラツキが生じると、連結金具１０６によるコーナ材１０５、縦縁材１０３及び横縁材１０４の結合が良好に行えない場合があるばかりでなく、湿度の影響等で各長尺状木質片１００が膨張して、連結床板１０２の横幅寸法Ｓが変化した場合には、この連結床板１０２の横幅寸法Ｓの変化を吸収できずに、敷設状態の連結床板１０２に盛り上がり現象が生じたり、連結床板１０２を構成する長尺状木質片１００や縦縁材１０３に割れが発生する問題があった。
【０００８】
本発明は上述の実情に鑑みてなされたものであり、既築住宅のフローリング等の床上に設置して使用でき、優れた施工性を維持しつつ、先行技術による問題点を解消できるようにすることを目的としている。
【０００９】
【課題を解決するための手段】
本発明では、可撓性の裏部材によって複数の長尺状木質片を巻回可能に連結して成ると共に前記裏部材で覆われた凹溝内に温水パイプが埋設された連結床板と、前記長尺状木質片と同方向の連結床板の両端にそれぞれ連結された縦縁材と、前記長尺状木質片と直交方向の連結床板の両端にそれぞれ凹凸嵌合される横縁材と、前記縦縁材と横縁材との間の４隅にそれぞれ配設されるコーナ材とを備え、このコーナ材が連結金具を介して縦縁材と横縁材に結合されており、かつ、前記裏部材を下にして床上に敷設される構成の上敷式木質床暖房パネルであって、前記連結金具を第１及び第２連結板で構成し、これら２枚１組の第１及び第２連結板は、一端部が互いに重合されてその重合部分が共通の第１締着具を介してコーナ材の裏面側に締着され、前記第１連結板の他端部は第２締着具を介して縦縁材の裏面側に締着される一方、前記第２連結板の他端部は第３締着具を介して横縁材の裏面側に締着される構成である。
【００１０】
【発明の実施の形態】
以下、本発明の上敷式木質床暖房パネルの一実施形態例について、図１ないし図８に基づいて説明する。上敷式木質床暖房パネル（以下、木質床暖房パネルという）Ａは、例えば、厚さ１２ｍｍ、幅７５ｍｍ、長さ２４００ｍｍの長尺状木質片２、２・・・  を、可撓性の裏部材３によって横方向に複数枚（実施形態例では２４枚）連結して巻回可能に構成した連結床材１を備え、前記長尺状木質片２と同方向の連結床材１の左右両端部には、図３に示すように、外側に向けてテーパ加工した縦縁材４、４が取り付けられている。
【００１１】
前記長尺状木質片２は、天然木である広葉樹のアルダーや針葉樹の杉等を製材して約１００〜８００ｍｍの長さにした３〜５枚のムクの木板を長手方向に接合一体化して構成したり、木質合板にて構成したものであり、この長尺状木質片２のそれぞれには、裏面側が開放されたパイプ埋設用の凹溝５、５が形成され、これら各凹溝５には架橋ポリエチレン製の温水パイプ６が埋設されると共に、この温水パイプ６が埋設された凹溝５、５は、前記裏部材３で覆われている。また、前記温水パイプ６には、図示しない熱源機からの温水が供給されて連結床材１の略全体に循環される。
【００１２】
図３は、図１に示す前記木質床暖房パネルＡのＡ−Ａ断面図であり、この図３に示すように、前記長尺状木質片２の長手方向の左右両側面部には、一方にオス側凹凸部Ｘが他方にメス側凹凸部Ｙがそれぞれ設けられ、また、前記一方の縦縁材４の長手方向の一側面部には、メス側凹凸部Ｙが設けられ、これらオス・メス側凹凸部Ｘ、Ｙによって、長尺状木質片２同士及び長尺状木質片２と縦縁材４は互いに凹凸嵌合している。
【００１３】
また、前記連結床板１の裏面側の略全域には裏部材３が接着され、この裏部材３によって各長尺状木質片２及び各縦縁材４を巻回可能に連結させている。この裏部材３は、前記温水パイプ６に一部を接触させたアルミニウム箔製の均熱シート９と、この均熱シート９の外側に接着した不織布１０とで構成されている。
【００１４】
前記長尺状木質片２と直交方向の連結床材１の上下両端部には、やはり外側に向けてテーパ加工した横縁材１１、１１が取り付けられている。これら横縁材１１は前記連結床材１を平板状に広げた状態で取り付けられるものであり、図４及び図５に示すように、一方の横縁材１１の長手方向の一側面部には凸部Ｅが設けられ、また他方の横縁材１１の長手方向の一側面部には凹部Ｆが設けられ、これら横縁材１１、１１はそれの略全長にわたって長尺状木質片２と直交方向の連結床材１の両端部にそれぞれ凹凸嵌合によってさね継ぎされる構造である。
【００１５】
１２、１２は、前記縦縁材４、４と横縁材１１、１１との間の木質床暖房パネルＡの４隅に付設したコーナ材であり、これらコーナ材１２は合成樹脂にて成形され、外側に向かって下り勾配のテーパ面１２Ａ（図８参照）が形成されており、そして、これらコーナ材１２は連結金具１３を介して前記縦縁材４と横縁材１１に結合されている。
【００１６】
前記連結金具１３は、図７に示すように、２枚１組の第１連結板１３Ａと第２連結板１３Ｂとで構成されている。そして、これら第１及び第２連結板１３Ａは、一端部が互いに重合されてその重合部分がネジ等の共通の第１締着具１４を介して略９０度の交差角度で前記コーナ材１２の裏面側に締着され、また、前記第１連結板１３Ａの他端部はネジ等の第２締着具１５を介して縦縁材４の端部の裏面側に締着され、一方、前記第２連結板１３Ｂの他端部はネジ等の第３締着具１６を介して横縁材１１の端部の裏面側に締着されるものである。
【００１７】
１７は第２締着具１５の頭部を収容するために縦縁材４に設けた凹み、１８は第３締着具１６の頭部を収容するために横縁材１１に設けた凹みであり、これらの凹み１８、１９は第２及び第３締着具１５、１６の締着後にキャップ２０、２１にて埋められる。
【００１８】
また、前記横縁材１１の一方には、図２に示すように、前記温水パイプ６と往き・戻り温水配管２２、２２との接続部を介在させる切欠２５が設けられ、この切欠２５は、接続部の接続作業完了後に、図１に示すように、カバー２６にて覆われる。このカバー２６は合成樹脂にて作られており、横縁材１１の裏面側から挿入される複数本のネジ（図示せず）によって横縁材１１に取り付けられる。なお、前記温水配管２２、２２の他端は室内の壁等に付設された温水コンセント（図示せず）を介して屋外の熱源機に配管接続される。また、前記各横縁材１１の裏面には、図４及び図５に示すように、不織布にてなる裏面材２７を接着にて取り付けている。
【００１９】
次に、木質床暖房パネルＡの設置の仕方について説明する。まず、巻回状態の連結床材１を、裏面材３を下にしてフローリング等の床上に広げた後、連結床板１に横縁材１１、１１を嵌合により取り付ける。しかる後、図７に示すように、第１及び第２連結板１３Ａ、１３Ｂの一端部を互いに重合させ、その重合部分を第１締着具１４を介してコーナ材１２の裏面側に締着するが、この時、第１及び第２連結板１３Ａ、１３Ｂは略９０度の交差角度でコーナ材１２に取り付ける。
【００２０】
こうして、第１及び第２連結板１３Ａ、１３Ｂを取り付けた状態のコーナ材１２を、縦縁材４と横縁材１１との間に配置し、前記第１連結板１３Ａの他端部を、第２締着具１５を介して縦縁材４に締着する一方、前記第２連結板１３Ｂの他端部を、第３締着具１６を介して横縁材１１に締着することにより、木質床暖房パネルＡの４隅への各コーナ材１２の取り付けが終了する。コーナ材１２の取り付けが終了したら、温水パイプ６に温水配管２２、２２を接続し、その接続部を介在させた横縁材１１の切欠２５をカバー２６で覆い、その後、温水配管２２先端のプラグ（図示せず）を温水コンセントに接続すれば良い。
【００２１】
本実施形態例によれば、木質床暖房パネルＡは、可撓性の裏部材３によって複数の長尺状木質片２、２を巻回可能に連結して成ると共に、裏部材３で覆われる凹溝５を有する長尺状木質片２、２の凹溝5内に、温水パイプ６、６を埋設して構成した連結床板１と、長尺状木質片２と同方向の連結床板１の両端にそれぞれ連結された縦縁材４、４と、長尺状木質片２と直交方向の連結床板１の両端にそれぞれ凹凸嵌合される横縁材１１、１１と、縦縁材４と横縁材１１との間の木質床暖房パネルＡの４隅にそれぞれ配設されるコーナ材１２、１２とを備え、前記裏部材３を下にして床上に敷設される構成であるから、連結床板１の長尺状木質片２自体が表面材となり、室床の基調を損なわずに、既築住宅のフローリング等の床上に敷設して使用できる。しかも、前記横縁材１１、１１をそれの略全長にわたって連結床板１の端部に凹凸嵌合させる構成であるから、長尺状木質片２を巻回可能に連結してなる連結床板１全体の水平性を確保でき、床面との間に隙間を生じさせない安定した敷設状態が実現できる。
【００２２】
そのうえ、コーナ材１２を縦縁材４と横縁材１２に結合するための連結金具１３を、２枚１組とした第１及び第２連結板１３Ａ、１３Ｂで構成し、これら第１及び第２連結板１３Ａ、１３Ｂは、一端部が互いに重合されてその重合部分が共通の第１締着具１４を介してコーナ材１２の裏面側に締着され、前記第１連結板１３Ａの他端部は第２締着具１５を介して縦縁材４の裏面側に締着される一方、前記第２連結板１３Ｂの他端部は第３締着具１６を介して横縁材１１の裏面側に締着される構成としているので、前記第１及び第２連結板１３Ａ、１３Ｂは第１締着具１４を枢軸として互いの他端部側が回動可能となり、これら第１及び第２連結板１３Ａ、１３Ｂの交差角度を約８０〜１００度の所定の範囲内で自由に可変できる。そのため、製造時において連結床板１の横幅寸法に僅かなバラツキが生じた場合でも、その寸法バラツキを連結金具１３で吸収することが可能となり、連結金具１３によるコーナ材１２と縦縁材４と横縁材１１の３者の結合が良好に行える。
【００２３】
また、木質床暖房パネルＡの設置後において、湿度による影響で長尺状木質片２が膨張・収縮し、その結果、連結床板１の横幅寸法が増減する場合でも、連結床板１の横幅寸法の増減を連結金具１３で吸収することが可能となり、連結床板１の盛り上がり現象を防止できるとともに、連結床板１を構成する長尺状木質片２や縦縁材４に割れが発生するのを防止できる。
【００２４】
また、コーナ材１２、縦縁材４及び横縁材１２には、それぞれ外側に向かって下り勾配のテーパ加工が施されているので、床面との段差による違和感を最小限に抑えることができる。
【００２５】
【発明の効果】
本発明においては、可撓性の裏部材によって複数の長尺状木質片を巻回可能に連結して成ると共に前記裏部材で覆われた凹溝内に温水パイプが埋設された連結床板と、前記長尺状木質片と同方向の連結床板の両端にそれぞれ連結された縦縁材と、前記長尺状木質片と直交方向の連結床板の両端にそれぞれ凹凸嵌合される横縁材と、前記縦縁材と横縁材との間の４隅にそれぞれ配設されるコーナ材とを備え、このコーナ材が連結金具を介して縦縁材と横縁材に結合されており、かつ、前記裏部材を下にして床上に敷設される構成の上敷式木質床暖房パネルであって、前記連結金具を第１及び第２連結板で構成し、これら２枚１組の第１及び第２連結板は、一端部が互いに重合されてその重合部分が共通の第１締着具を介してコーナ材の裏面側に締着され、前記第１連結板の他端部は第２締着具を介して縦縁材の裏面側に締着される一方、前記第２連結板の他端部は第３締着具を介して横縁材の裏面側に締着される構成であるから、裏部材を下にして既築住宅のフローリング等の床上に設置して使用でき、優れた施工性を維持できるのはもちろんのこと、製造時における連結床板の寸法バラツキや、湿度の影響による連結床板の寸法バラツキを、互いの重合部分が共通の第１締着具で締着された２枚1組の第１及び第２の連結金具で吸収することが可能となり、その結果、施工時等における組立性を向上できるとともに、湿度の影響による連結床板の盛り上がり現象や長尺状木質片や縦縁材等における部材の割れの発生を未然に防止することができる。
【図面の簡単な説明】
【図１】本発明の一実施形態例を示す上敷式木質床暖房パネルの平面図である。
【図２】連結床板から横縁材及びコーナ材を分離させた状態を示す平面図である。
【図３】図１のＡ−Ａ断面の拡大断面図である。
【図４】図１のＢ−Ｂ断面の拡大断面図である。
【図５】図１のＣ−Ｃ断面の拡大断面図である。
【図６】要部の平面図である。
【図７】要部の拡大底面図である。
【図８】要部の分解状態を示す斜視図である。
【図９】先行技術の上敷式木質床暖房パネルの連結床板から横縁材及びコーナ材を分離させた状態を示す平面図である。
【図１０】先行技術の要部の分解状態を示す斜視図である。
【符号の説明】
Ａ      上敷式木質床暖房パネル
１      連結床板
２      長尺状木質片
３ 裏部材
４      縦縁材
５ 凹溝
６      温水パイプ
１１      横縁材
１２      コーナ材
１３      連結金具
１３Ａ    第１連結板
１３Ｂ    第２連結板
１４      第１締着具
１５      第２締着具
１６      第３締着具
【図１】
0003594459.tif 000002
【図２】
0003594459.tif 000003
【図３】
0003594459.tif 000004
【図４】
0003594459.tif 000005
【図５】
0003594459.tif 000006
【図６】
0003594459.tif 000007
【図７】
0003594459.tif 000008
【図８】
0003594459.tif 000009
【図９】
0003594459.tif 000010
【図１０】
0003594459.tif 000011